(57)【要約】【課題】本発明は、カードの四辺を活かし、ケイ線を利用して、特定のカード選択を容易にする情報検索カードを提供する。【解決手段】カードを索引カードと検索カードに分ける。索引カードの四辺に沿って分類標識のケイ線及び分類番号を表示する。検索カードには、特有の情報を記載し、カード四辺に沿って、固有に位置に分類標識のケイ線を表示する。検索する目的の分類項目名と分類番号の記載された索引用一覧表から分類番号を拾う。索引カードと検索カードを重ね合せて、索引カードの分類番号とケイ線から該当する検索カードを分類選択する情報検索カードを構成している。【選択図】図１
2010274643.tif 000002
【特許請求の範囲】
【請求項１】
索引カードの辺に沿って、索引用の分類標識のケイ線及びズレ防止線を表示する。前記の分類標識のケイ線に沿って分類番号を記載するカードを構成することを特徴とした情報検索カード。
【請求項２】
検索カードの辺に沿って、検索用の固有の位置に分類標識のケイ線及びズレ防止線を表示し、カードの内部に特有の情報を記載するカードを構成することを特徴とした情報検索カード。
【請求項３】
情報を系統化し、索引用の分類項目名及び分類番号をつけて索引用一覧表とする。この索引用一覧表から検索する目的の分類番号を読みとる。索引カードと検索カードを重ね合せて、分類標識のケイ線を照合し、目的の分類標識のケイ線が存在する検索カードを分類選択する形を構成することを特徴とした情報検索カード。
【発明の詳細な説明】
【技術分野】
【０００１】  本発明は、カード四辺の分類標識を利用して、特有の情報が記載されたカードを分類選択しやすくした医薬品、漢方薬、民間薬、健康食品、化粧品、医・薬理情報、健康関連情報などの分野の情報検索カードに関する。
【背景技術】
【０００２】  従来の一般的に使われてきた整理記録・住所録などのカードは、分類・見出しなどの分類枠が設けられている。一つの分類項目、一つの見出しなどの枠幅が広く、分類項目の数は多くとれない複雑な情報内容になると、分類項目は多数となり、見出しが煩雑になるため充分でなくなる。
【先行技術文献】
【特許文献】
【０００３】
【特許文献１】特開平８−１０４０９１号公報
【発明の概要】
【発明が解決しようとする課題】
【０００４】  以上に述べた従来の検索カードは、分類標識（分類見出し）の枠の幅が広く、分類標識の数が限られてくるので、一度に多量の情報量が扱いにくい。【０００５】  本発明は、このような従来の構成が有していた問題を解決しようとするものであり、分類標識を増加させ、一度に扱う情報量を増やし、多量の情報から、より的確な目的情報を選択することを目的とするものである。
【課題を解決するための手段】
【０００６】  上述の目的を達成する本発明の情報検索カードは、四辺にケイ線状等の分類標識を記入する。索引カードは分類項目全般の分類標識を示し、所定の分類番号を記載する。検索カードは固有の位置に分類標識を示すことを特徴とする。【０００７】  別に設けた索引用一覧表の分類項目及び分類番号から目的の分類番号をひろう。この目的の分類番号をもとに、索引カードと検索カード群を照合させて該当カードを抜き出す。【０００８】  索引カードには、分類項目名をカードに直接記載することもできる。
但し、カードの面積が限られているため、分類項目名の全ての記載内容を記入することは困難である。
【発明の効果】
【０００９】  従来のカード式は、枠幅が広く、分類項目が多数とれないために不便であったが、本発明はケイ線に依存した分類のために分類項目が多くとれる。【００１０】  本発明は、索引カード図１と検索カード図５などを重ね合わせ、分類番号（２）とケイ線（１）を確めて照合する単純操作であり、又多数の検索カード群から１枚若しくは複数の関連カードを速やかに抜き出すことができる。【００１１】  ケイ線（１）（黒色）と色を異にしたズレ防止線（５）（赤色）を設けたことににより、ケイ線の読み取り過誤を防ぐことができる。【００１２】  従来のカード式にくらべて多数枚（多数の情報源）１００〜２００枚以上を対象に、同時一括検索ができるようになった。【００１３】  顧客、患者への対面説明では、従来は各種文献を見ながら、又記憶（正確に記憶することは至難の技である）をたどりながら行なっていた。
本発明は適確なエッセンスをカード式図５、６、７、８にした事により、類似した情報のカードを複数並べて、比較検討することを可能としたので、正確かつ迅速な対応ができると同時に対象者の理解度が高まった。特に漢方薬の方剤決定には、必要不可欠の構成である。
パソコン検索では、内容を認知できても、比較検討しながらの対人説明では、毎回プリントアウトの必要性もあるし、極めて困難である。
【図面の簡単な説明】
【００１４】
【図１】本発明の第１の実施の形態に係る索引カードの表面の平面図である。
【図２】図１の裏面の平面図である。
【図３】図１の分類項目名の一部を記載した、表面の平面図である。
【図４】図３の裏面の平面図である。
【図５】本発明の第２の実施の形態に係る（例、防風通聖散料）検索カードの表面の平面図である。
【図６】図５の裏面の平面図である。
【図７】第２の実施の形態に係る（例、安中散）検索カードの表面の平面図である。
【図８】図７の裏面の平面図である。
【図９】本発明の第３の実施の形態に係る索引用一覧表の平面図である。
【図１０】図１の索引カードと図５の検索カードを照合させた外観斜視図である。
【図１１】図１０の正面図である。
【図１２】図１０の断面図である。
【図１３】図１０の照合に用いる識別ケース本体の外観斜視図である。
【図１４】図１３の識別ケースの底板（表面粒状）の外観斜視図である。
【図１５】分類選別するときのカード抜き取りカギ棒の外観斜視図である。
【発明を実施するための形態】
【００１５】  以下、本発明の実施の形態を図に基づき説明する。
【実施例１】
【００１６】  索引カードの構成を図１、２、３、４により説明する。索引カードの四辺に沿って、辺に垂直に長さ約５ｍｍのケイ線（１）を引き、間隔は５ｍｍ〜６ｍｍの範囲で正確に記載する。このケイ線（１）を分類標識とし、表面及び裏面共に同様に表示する。
分類標識のケイ線（１）に沿って、後求するところの主訴・症状・病名一覧表図９、により、分類番号（２）を記載する。分類番号（２）は１、２、３・・・のアラビア数字を用いる。又、分類番号は他の記号に変えることができる。例えば
2010274643.tif 000003
ることができる。【００１７】  索引カード図３に分類項目名（８）を直接記載することもできる。分類標識のケイ線（１）を読み取る時のずれを防ぐズレ防止線（５）（赤色）を表示する。
【実施例２】
【００１８】  検索カードの構成を図５、６（使用例を兼用している図）により説明する。
主訴・症状等の分類番号（２）を、後求するところの主訴・症状・病名一覧表図９、（以後一覧表と略す）により求める。
求めた分類番号（２）から、索引カードの分類番号（２）・分類標識のケイ線（１）の位置を確める。この位置を情報が記載された検索カード図５、６の四辺の各辺の位置に求めて分類標識のケイ線（６）を引いて表示する。
検索カードの対角線上の角部に直径約３ｍｍの穴をあけて、分類選択時の抜き取り穴（７）とする。又辺に抜き取り穴を設けることもできる。
図５、６、７、８は漢方薬の実施例を示す。
【実施例３】
【００１９】  主訴・症状・病名一覧表の構成を図９により説明する。
最も必要と考えられる顧客・患者などの主訴・症状・病名等の名称（８）を漢方様式に従い、分類覧（４）に表示する。主訴・症状・病名などについて順を追って１、２、３・・・のように、一連の分類番号（２）を記載する。
2010274643.tif 000004
点印を付した分類番号（１０）の記号を記載する。表示は他の記号でもよい。
【実施例４】
【００２０】  識別ケースの構成を図１３により説明する。
識別ケースは透明合成樹脂製の箱型容器（１１）とする。別に底板（１２）を設ける。底板は奥行方向に高くなるように傾斜面とし、底板の表面は微粒面（１３）のざらつきを持たせた滑り止め構造とする。識別ケースは分類標識のケイ線（１）を識別する時に用いる。図１０、１１、１２は実施例である。【００２１】  分類選別するときのカード抜き取りカギ棒の構成を図１５により説明する。先きの曲がった金具付きカギ部（１４）を持つ構成とする。握り部を手で持ち、検索カードの抜き取り穴（７）に引っ掛けてカードを引き抜く。
【実施例５】
【００２２】  カード用紙の構成を図２により説明する。
カード用紙は表面・裏面を同一図柄とすることが便利である。図２は裏面を表示しているが、表面・裏面は同一にすることが望ましい。
カードのマス目の間隔は５〜６ｍｍの規定目盛とし、分類標識のケイ線の間隔を兼ねるものとする。従って分類標識の間隔がとりやすくなる。
カードの対角線上の角部に抜き取り穴（７）を設ける。カード群は色分けしてもよい。カードは市販品を用いてもよい。【００２３】  カードの最終仕上げの構成を説明する。
カードの仕上げは、片面又は両面をプラコート又はラミネート加工とする。
プラスチックの補強により適度の柔軟性及び強度及び耐久性を持たせることができる。
【実施例６】
【００２４】  本発明の情報検索カードを用いた健康相談などにおける検索操作の構成を次の流れ図で説明する。
［検索操作の流れ図］
2010274643.tif 000005
【００２５】漢方健康相談の仕組の概要
望診・聞診・問診・切診の四診を用いて、病位（表・裏、上・中・下）、病態（八綱など）、三陰三陽、気・血・水、臓腑弁証等を駆使し、これらを総合的に判断し、漢方処方を求める。これらの過程のなかで、情報検索カードを利用し、誤差の少ない漢方薬を求めていく。【００２６】  先ず、顧客・患者の健康相談により主訴・症状を把握したのち、主訴症状一覧表図９により、主訴・症状の分類番号（２）を導き出す。分類番号は複数個が導き出される場合が多い。導き出された分類番号により、索引カード図１の分類番号（２）と分類標識のケイ線（１）の位置を確認する。【００２７】  次に索引カード図１と検索カード図５等の群を重ね合せて、全体をわずかにずらせて分類標識を見やすくする。識別ケース図１３を用いて、実施例図１０のようにずらせる。少数枚の場合は、手にカードを持って指でずらせることもできる。又多数枚１００〜２００枚以上を同時一括して検索できる。【００２８】  次に上記により導き出された主訴・症状の分類番号（２）により、索引カードの分類標識のケイ線（１）と検索カード群のケイ線（６）を照合させて、ケイ線が一致した検索カード図１１を抜き取りカギ棒図１５を用いて引き抜き、分類選択する。
分類選択されたカードが複数の時は、他の分類番号により、上記分類選択を繰返す。漢方薬の最終分類選択では、カードが複数になることが多い。【００２９】  次に分類選択された単〜複数のカードを対象者に開示しながら説明し、意見を考慮しながら最良の方法を決め、処方を決定する。【００３０】  終了後は、抜き出されたカードを元のカード群に戻すには、無作為に戻してよい。又グルーピングする必要もない。検索カードは順番・グループに関係なく、順位不動にまとめて使える。以上の使用形態を構成することを特徴としている。
【産業上の利用の可能性】
【００３１】  従って、本発明の情報検索カードは、複雑多岐にわたる医学・薬学・栄養学・化粧・健康関連などの分野での情報検索及びその結果の活用に有効となる。
【符号の説明】
【００３２】（１）  索引カードの分類標識のケイ線
（２）  分類番号
（３）  分類番号の記号
（４）  一覧表の分類覧
（５）  ズレ防止線
（６）  検索カードの分類標識のケイ線
（７）  抜き取り穴
（８）  主訴・症状の分類項目名
（９）  病名覧
（１０）  病名の分類番号又は記号
（１１）  識別ケース
（１２）  識別ケースの底板
（１３）  粒状面底板
（１４）  抜き取りカギ棒
【図１】
2010274643.tif 000006
【図２】
2010274643.tif 000007
【図３】
2010274643.tif 000008
【図４】
2010274643.tif 000009
【図５】
2010274643.tif 000010
【図６】
2010274643.tif 000011
【図７】
2010274643.tif 000012
【図８】
2010274643.tif 000013
【図９】
2010274643.tif 000014
【図１０】
2010274643.tif 000015
【図１１】
2010274643.tif 000016
【図１２】
2010274643.tif 000017
【図１３】
2010274643.tif 000018
【図１４】
2010274643.tif 000019
【図１５】
2010274643.tif 000020